【手続補正書】
【提出日】平成18年7月5日(2006.7.5)
【手続補正１】
【補正対象書類名】明細書
【補正対象項目名】特許請求の範囲
【補正方法】変更
【補正の内容】
【特許請求の範囲】
【請求項１】
物体側より順に、正の屈折力を有する第１レンズ群と、負の屈折力を有する第２レンズ群と、正の屈折力を有する第３レンズ群と、正の屈折力を有する第４レンズ群と、正の屈折力を有する第５レンズ群とを有し、
広角端状態から望遠端状態まで焦点距離が変化する際に、前記第１レンズ群と前記第２レンズ群との間隔が変化し、前記第２レンズ群と前記第３レンズ群との間隔が減少し、前記第３レンズ群と前記第４レンズ群との間隔が変化し、前記第４レンズ群と前記第５レンズ群との間隔が増大し、前記第３レンズ群および前記第４レンズ群が物体側に移動し、
前記第３レンズ群は、正の屈折力を有する第１部分レンズ群と、当該第１部分レンズ群の像側に空気間隔を隔てて配置された正の屈折力を有する第２部分レンズ群とからなり、
前記第１部分レンズ群を光軸にほぼ垂直方向にシフトさせることによって画像をシフトさせ、
以下の条件式を満足することを特徴とする像シフト可能なズームレンズ。
０．０２＜｜１／βａｗ｜＜０．０８
３．９＜（βａｔ）２＜７．４
０．１５＜ｆｗ／ｆ３ａ＜０．１９
１．１＜ｆ５／ｆｔ＜４．２
但し、
ｆｗ ：広角端状態における前記ズームレンズ系全体の焦点距離，
ｆｔ ：望遠端状態における前記ズームレンズ系全体の焦点距離，
ｆ３ａ：前記第３レンズ群の前記第１部分レンズ群の焦点距離，
ｆ５ ：前記第５レンズ群の焦点距離，
βａｗ：広角端状態における前記第１部分レンズ群の使用倍率，
βａｔ：望遠端状態における前記第１部分レンズ群の使用倍率．
【請求項２】
前記第３レンズ群は、以下の条件式を満足することを特徴とする請求項１に記載の像シフト可能なズームレンズ。
１．３＜ｆ３ａ／ｆ３＜１．６
但し、
ｆ３：前記第３レンズ群の焦点距離．
【請求項３】
前記第１部分レンズ群は、物体側に凸面を向けた負メニスカスレンズと物体側に凸面を向けた正レンズとの接合レンズであり、
前記第２部分レンズ群は、物体側に凸面を向けた正レンズと像側に凹面を向けた負レンズとの接合レンズであることを特徴とする請求項１または２に記載の像シフト可能なズームレンズ。
【請求項４】
前記第１部分レンズ群は、当該第１部分レンズ群の物体側に隣接して配置された開口絞りを有することを特徴とする請求項１から３のいずれか１項に記載の像シフト可能なズームレンズ。
【請求項５】
広角端状態から望遠端状態まで焦点距離が変換する際に、前記第５レンズ群は固定であることを特徴とする請求項１から４のいずれか１項に記載の像シフト可能なズームレンズ。
【請求項６】
前記第５レンズ群が焦点調節を行うことを特徴とする請求項１から５のいずれか１項に記載の像シフト可能なズームレンズ。
【請求項７】
前記第２レンズ群は、非球面を有することを特徴とする請求項１から６のいずれか１項に記載の像シフト可能なズームレンズ。
【請求項８】
前記第４レンズ群は、非球面を有することを特徴とする請求項１から７のいずれか１項に記載の像シフト可能なズームレンズ。
【手続補正２】
【補正対象書類名】明細書
【補正対象項目名】００１６
【補正方法】変更
【補正の内容】
【００１６】
【課題を解決するための手段】
上記目的を達成するために、本発明は、物体側より順に、正の屈折力を有する第１レンズ群と、負の屈折力を有する第２レンズ群と、正の屈折力を有する第３レンズ群と、正の屈折力を有する第４レンズ群と、正の屈折力を有する第５レンズ群とを有し、広角端状態から望遠端状態まで焦点距離が変化する際に、前記第１レンズ群と前記第２レンズ群との間隔が変化し、前記第２レンズ群と前記第３レンズ群との間隔が減少し、前記第３レンズ群と前記第４レンズ群との間隔が変化し、前記第４レンズ群と前記第５レンズ群との間隔が増大し、前記第３レンズ群および前記第４レンズ群が物体側に移動し、前記第３レンズ群は、正の屈折力を有する第１部分レンズ群と、当該第１部分レンズ群の像側に空気間隔を隔てて配置された正の屈折力を有する第２部分レンズ群とからなり、前記第１部分レンズ群を光軸に対してほぼ垂直方向にシフトさせることによって画像をシフトさせ、以下の条件式を満足することを特徴とする像シフト可能なズームレンズを提供する。
０．０２＜｜１／βａｗ｜＜０．０８
３．９＜（βａｔ）２＜７．４
０．１５＜ｆｗ／ｆ３ａ＜０．１９
１．１＜ｆ５／ｆｔ＜４．２
但し、
ｆｗ：広角端状態における前記ズームレンズ系全体の焦点距離、
ｆｔ：望遠端状態における前記ズームレンズ系全体の焦点距離、
ｆ３ａ：前記第１部分レンズ群の焦点距離、
ｆ５：前記第５レンズ群の焦点距離、
βａｗ：広角端状態における前記第１部分レンズ群の使用倍率、
βａｔ：望遠端状態における前記第１部分レンズ群の使用倍率である。
【手続補正３】
【補正対象書類名】明細書
【補正対象項目名】００２８
【補正方法】変更
【補正の内容】
【００２８】
さらに、本発明にかかる像シフト可能なズームレンズでは、上記各レンズ構成の基で、以下の条件式（１）から（４）を満足する。
（１） ０．０２＜｜１／βａｗ｜＜０．０８
（２） ３．９＜（βａｔ）２＜７．４
（３） ０．１５＜ｆｗ／ｆ３ａ＜０．１９
（４） １．１＜ｆ５／ｆｔ＜４．２
ここで、βａｗは広角端状態におけるシフトレンズ群（第１部分レンズ群）の使用倍率であり、βａｔは望遠端状態におけるシフトレンズ群の使用倍率であり、ｆ３ａはシフトレンズ群である第１部分レンズ群の焦点距離であり、ｆ５は第５レンズ群の焦点距離であり、ｆｗは広角端状態におけるレンズ系全体の焦点距離であり、ｆｔは望遠端状態におけるズームレンズ全体の焦点距離である。
【手続補正４】
【補正対象書類名】明細書
【補正対象項目名】００３２
【補正方法】変更
【補正の内容】
【００３２】
条件式（２）の下限値を下回った場合、所定量だけ像をシフトさせるのに必要なシフトレンズ群の移動量が極端に大きくなってしまう。その結果、シフトレンズ群を移動させる駆動機構が大型化してしまい、ズームレンズ系の小型化を図ることが出来なくなってしまう。条件式（２）の上限値を上回った場合、シフトレンズ群が微小量移動しただけで、像が大きくシフトしてしまうので、シフトレンズ群の位置制御が困難になってしまう。
【手続補正５】
【補正対象書類名】明細書
【補正対象項目名】００５４
【補正方法】変更
【補正の内容】
【００５４】
〔第１実施例〕
図２は、本発明の第１実施例にかかるズームレンズのレンズ構成を示す図である。
本第１実施例のズームレンズでは、第１レンズ群Ｇ１は、物体側から順に像側に凹面を向けた負メニスカスレンズＬ１１と両凸形状の正レンズＬ１２との貼り合わせからなる接合正レンズと、物体側に凸面を向けた正メニスカスレンズＬ１３とから構成されている。また、第２レンズ群Ｇ２は、物体側から順に、像側に凹面を向けた負メニスカスレンズＬ２１と、両凹形状の負レンズＬ２２と、物体側に凸面を向けた正メニスカスレンズＬ２３と、物体側に凹面を向けた負メニスカスレンズＬ２４とで構成されている。第３レンズ群Ｇ３は、物体側から順に、像側に凹面を向けた負メニスカスレンズＬ３１と両凸形状の正レンズＬ３２との貼り合わせからなる接合正レンズと、両凸形状の正レンズＬ３３と両凹形状の負レンズＬ３４との貼り合わせからなる接合正レンズとで構成されている。また、第４レンズ群Ｇ４は、物体側から順に、物体側の面が非球面形状に形成された両凸形状の正レンズＬ４１と、像側に凹面を向けた負メニスカスレンズＬ４２と両凸形状の正レンズＬ４３との貼り合わせからなる接合正レンズとで構成されている。第５レンズ群は、物体側に凸面を向けた正メニスカスレンズＬ５１で構成されている。さらに、フィルター群ＦＬは、ローパスフィルターまたは赤外カットフィルター等から構成されている。
【手続補正６】
【補正対象書類名】明細書
【補正対象項目名】００５８
【補正方法】変更
【補正の内容】
【００５８】
【表１】
（全体諸元）
広角端状態  中間焦点距離１状態  中間焦点距離２状態  望遠端状態
f =  5.82    〜    16.27        〜    30.00        〜    44.23
F.NO =  2.49    〜     2.96        〜     3.11        〜     3.69
２ω = 65.41    〜    24.85        〜    13.32        〜     9.06
（レンズデータ）
面番号 曲率半径 面間隔  屈折率  アッベ数
1    65.7542   1.30  1.846660  23.78
2    35.5502   5.30  1.696800  55.52
3  -513.0080   0.10
4    23.0000   3.65  1.497820  82.52
5    56.7395   (d5) 
6    31.8468   1.19  1.834810  42.72
7     8.4511   3.03
8   -25.2188   2.25  1.713000  53.85
9     8.3223   0.39
10     9.2050   2.80  1.846660  23.78
11  8345.6811   0.95
12   -12.3953   0.98  1.713000  53.85
13   -49.5178   (d13)
14     0.0000   0.50                  （開口絞りＳ）
15    17.0723   0.90  1.806100  40.94
16    10.0000   3.25  1.497820  82.52
17   -36.7863   0.55
18    17.6621   2.00  1.487490  70.24
19   -53.2711   0.90  1.563840  60.69
20    50.0000   (d20)
*21    21.0867   2.50  1.589130  61.24
22   -86.0015   1.01
23    41.5428   1.20  1.834000  37.17
24     9.7214   3.27  1.487490  70.24
25   -32.0692   (d25)
26    37.4821   1.54  1.487490  70.24
27   100.0000   (d27)
28     0.0000   2.70  1.544370  70.51
39     0.0000   1.00
30     0.0000   0.80  1.516800  64.20
31     0.0000   (Bf)
本第１実施例において、第２１面のレンズ面は非球面形状に形成されている。以下に、非球面データ、すなわち頂点曲率半径Ｒ、円錐定数κおよび各非球面定数Ｃ４〜Ｃ１０の値を示す。
（非球面データ）
〔第２１面〕
Ｒ      κ      Ｃ４          Ｃ６          Ｃ８         Ｃ１０
21.0867 +3.6973 -8.6004×10-5  4.1289×10-7 -1.9509×10-82.4814×10-10
本第１実施例において、第１レンズ群Ｇ１と第２レンズ群Ｇ２との軸上空気間隔ｄ５、第２レンズ群Ｇ２と第３レンズ群Ｇ３との軸上空気間隔ｄ１３、第３レンズ群Ｇ３と第４レンズ群Ｇ４との軸上空気間隔ｄ２０、第４レンズ群Ｇ４と第５レンズ群Ｇ５との軸上空気間隔ｄ２５、第５レンズ群Ｇ５とローパスフィルター等ＦＬとの軸上空気間隔ｄ２７、およびバックフォーカスＢｆは、ズーミングに際して変化する。以下に、広角端状態、中間焦点距離１状態、中間焦点距離２状態、望遠端状態の各焦点距離における可変間隔データを示す。
（可変間隔データ）
広角端状態  中間焦点距離１状態 中間焦点距離２状態   望遠端状態
f   5.8200        15.9986            29.9974           44.2275
d5   1.6000        11.1835            18.5714           19.0651
d13  21.5573         9.1193             6.2890            2.7603
d20   6.9388         2.7636             2.5157            2.2721
d25   3.8367        12.4830            14.3968           22.0353
d27   3.1700         3.1700             3.1700            3.1700
Bf   1.3301         1.3302             1.3301            1.3300
以下に、本第１実施例における各条件式対応値を示す。
（条件式対応値）
βａｗ  ＝-19.28274
βａｔ ＝  2.297
ｆｗ ＝  5.82002
ｆｔ ＝ 44.22752
ｆ３   ＝ 22.28895
ｆ３ａ ＝ 33.52776
ｆ５    ＝121.99999
（１）｜１／βａｗ｜  ＝0.05190
（２）（βａｔ）2 ＝5.27621
（３）ｆｗ／ｆ３ａ    ＝0.17359
（４）ｆ５／ｆｔ      ＝2.75846
（５）ｆ３ａ／ｆ３    ＝1.50423
【手続補正７】
【補正対象書類名】明細書
【補正対象項目名】００６２
【補正方法】変更
【補正の内容】
【００６２】
（第２実施例）
図６は、本発明の第２実施例にかかるズームレンズのレンズ構成を示す図である。
本第２実施例のズームレンズでは、第１レンズ群Ｇ１は、物体側から順に像側に凹面を向けた負メニスカスレンズＬ１１と両凸形状の正レンズＬ１２との貼り合わせからなる接合正レンズと、物体側に凸面を向けた正メニスカスレンズＬ１３とから構成されている。また、第２レンズ群Ｇ２は、物体側から順に、像側に凹面を向けた負メニスカスレンズＬ２１と、両凹形状の負レンズＬ２２と、物体側に凸面を向けた正メニスカスレンズＬ２３と、物体側に凹面を向けた負メニスカスレンズＬ２４とで構成されている。第３レンズ群Ｇ３は、物体側から順に、像側に凹面を向けた負メニスカスレンズＬ３１と両凸形状の正レンズＬ３２との貼り合わせからなる接合正レンズと、両凸形状の正レンズＬ３３と両凹形状の負レンズＬ３４との貼り合わせからなる接合正レンズとで構成されている。また、第４レンズ群Ｇ４は、物体側から順に、物体側の面が非球面形状に形成された両凸形状の正レンズＬ４１と、像側に凹面を向けた負メニスカスレンズＬ４２と両凸形状の正レンズＬ４３との貼り合わせからなる接合負レンズとで構成されている。第５レンズ群Ｇ５は、物体側に凸面を向けた正メニスカスレンズＬ５１で構成されている。さらに、フィルター群ＦＬは、ローパスフィルターまたは赤外カットフィルター等から構成されている。
【手続補正８】
【補正対象書類名】明細書
【補正対象項目名】００６５
【補正方法】変更
【補正の内容】
【００６５】
【表２】
（全体諸元）
広角端状態  中間焦点距離１状態 中間焦点距離２状態  望遠端状態
f =  5.82    〜    16.27        〜    30.00        〜    44.23
F.NO =  2.78    〜     3.16        〜     3.51        〜     3.99
２ω = 65.41    〜    24.40        〜    13.31        〜     9.04
（レンズデータ）
面番号 曲率半径 面間隔  屈折率  アッベ数
1   70.1853   1.30  1.84666  23.78
2   35.4090   5.30  1.69680  55.52
3 -407.7267   0.10
4   23.0223   3.65  1.49782  82.52
5   57.0441   (d5)
6   29.6267   1.10  1.83481  42.72
7    8.4583   2.90
8  -32.8579   1.35  1.71300  53.85
9    7.7756   0.45
10    8.6226   3.10  1.84666  23.78
11  205.2110   0.95
12  -12.2779   1.20  1.71300  53.85
13  -70.5745   (d13)
14    0.0000   0.50                  （開口絞りＳ）
15   17.5772   0.90  1.80610  40.94
16    9.9998   3.20  1.49782  82.52
17  -33.2983   0.55
18   17.5780   2.00  1.48749  70.24
19  -50.4870   0.90  1.56384  60.69
20   50.3217   (d20)
*21   18.8065   2.50  1.58913  61.24
22  -36.7072   1.60
23   59.1905   1.20  1.83400  37.17
24    9.7003   2.50  1.48749  70.24
25  -70.4858   (d25)
26   32.9648   1.45  1.48749  70.24
27  100.2276   (d27)
28    0.0000   2.70  1.54437  70.51
29    0.0000   1.69
30    0.0000   0.50  1.51680  64.20
31    0.0000   (Bf)
本第２実施例において、第２１面のレンズ面は非球面形状に形成されている。
（非球面データ）
〔第２１面〕
Ｒ      κ        Ｃ４        Ｃ６         Ｃ８          Ｃ１０
18.8065 +1.0000 -6.9258×10-5  9.7550×10-7 -5.9311×10-8  1.1428×10-9
本第２実施例において、第１レンズ群Ｇ１と第２レンズ群Ｇ２との軸上空気間隔ｄ５、第２レンズ群Ｇ２と第３レンズ群Ｇ３との軸上空気間隔ｄ１３、第３レンズ群Ｇ３と第４レンズ群Ｇ４との軸上空気間隔ｄ２０、第４レンズ群Ｇ４と第５レンズ群Ｇ５との軸上空気間隔ｄ２５、第５レンズ群Ｇ５とローパスフィルター等ＦＬとの軸上空気間隔ｄ２７、およびバックフォーカスＢｆは、ズーミングに際して変化する。以下に、広角端状態、中間焦点距離１状態、中間焦点距離２状態、望遠端状態の各焦点距離における可変間隔データを示す。
（可変間隔データ）
広角端状態  中間焦点距離１状態  中間焦点距離２状態  望遠端状態
f   5.8199        16.2722            29.9984           44.2306
d5   1.6000        13.1903            18.5369           20.0370
d13  21.4272         9.8382             5.8813            2.9902
d20   9.5165         4.4212             3.8763            3.9143
d25   2.6565        10.2994            14.5032           20.1783
d27   2.8001         2.8001             2.8001            2.8001
Bf   0.8058         0.8058             0.8056            0.8057
以下に、本発明の第２実施例における各条件式対応値を示す。
（条件式対応値）
βａｗ  ＝-24.159
βａｔ  ＝  2.31493
ｆｗ    ＝  5.81991
ｆｔ    ＝ 44.23063
ｆ３    ＝ 22.19071
ｆ３ａ  ＝ 33.50923
ｆ５    ＝100.05532
（１）｜１／βａｗ｜ ＝0.04139
（２）（βａｔ）2    ＝5.35890
（３）ｆｗ／ｆ３ａ   ＝0.17368
（４）ｆ５／ｆｔ     ＝2.26213
（５）ｆ３ａ／ｆ３   ＝1.51006
【手続補正９】
【補正対象書類名】明細書
【補正対象項目名】００６８
【補正方法】変更
【補正の内容】
【００６８】
（第３実施例）
図１０は、本発明の第３実施例にかかるズームレンズのレンズ構成を示す図である。
本第３実施例のズームレンズでは、第１レンズ群Ｇ１は、物体側から順に像側に凹面を向けた負メニスカスレンズＬ１１と両凸形状の正レンズＬ１２との貼り合わせからなる接合正レンズと、物体側に凸面を向けた正メニスカスレンズＬ１３とから構成されている。また、第２レンズ群Ｇ２は、物体側から順に、像側に凹面を向けた負メニスカスレンズＬ２１と、両凹形状の負レンズＬ２２と、物体側に凸面を向けた正メニスカスレンズＬ２３と、物体側に凹面を向けた負メニスカスレンズＬ２４とで構成されている。第３レンズ群Ｇ３は、物体側から順に、像側に凹面を向けた負メニスカスレンズＬ３１と両凸形状の正レンズＬ３２との貼り合わせからなる接合正レンズと、両凸形状の正レンズＬ３３と両凹形状の負レンズＬ３４との貼り合わせからなる接合正レンズとで構成されている。また、第４レンズ群Ｇ４は、物体側から順に、物体側の面が非球面形状に形成された両凸レンズＬ４１と、像側に凹面を向けた負メニスカスレンズＬ４２と両凸形状の正レンズＬ４３との貼り合わせからなる接合負レンズとで構成されている。第５レンズ群Ｇ５は、物体側に凸面を向けた正メニスカスレンズＬ５１で構成されている。さらに、フィルター群ＦＬは、ローパスフィルターまたは赤外カットフィルター等から構成されている。
【手続補正１０】
【補正対象書類名】明細書
【補正対象項目名】００７１
【補正方法】変更
【補正の内容】
【００７１】
【表３】
（全体諸元）
広角端状態  中間焦点距離１状態  中間焦点距離２状態   望遠端状態
f =  5.82    〜    16.27       〜     30.00        〜    44.23
F.NO =  2.78    〜     3.17       〜      3.51        〜     4.10
２ω = 65.41    〜    24.41       〜     13.31        〜     9.05
（レンズデータ）
面番号 曲率半径 面間隔  屈折率  アッベ数
1    70.1623   1.30  1.84666  23.78
2    35.3843   5.30  1.69680  55.52
3  -403.4706   0.10
4    23.0000   3.65  1.49782  82.52
5    56.7395   (d5)
6    28.9849   1.10  1.83481  42.72
7     8.4431   2.90
8   -31.5003   1.35  1.71300  53.85
9     7.7737   0.45
10     8.6356   3.10  1.84666  23.78
11   216.9322   0.95
12   -12.3144   1.20  1.71300  53.85
13   -69.8020   (d13)
14    0.0000   0.50                  （開口絞りＳ）
15    17.5716   0.90  1.80610  40.94
16    10.0000   3.20  1.49782  82.52
17   -33.3548   0.55
18    17.5774   2.00  1.48749  70.24
19   -52.9813   0.90  1.56384  60.69
20    50.0000   (d20)
*21    18.7998   2.50  1.58913  61.24
22   -36.7012   1.60
23    59.3010   1.20  1.83400  37.17
24     9.7000   2.50  1.48749  70.24
25   -70.3391   (d25)
26    32.9284   1.45  1.48749  70.24
27   100.0000   (d27)
28     0.0000   2.70  1.54437  70.51
29     0.0000   1.00
30     0.0000   0.80  1.51680  64.20
31     0.0000   (Bf)
本第３実施例において、第２１面のレンズ面は非球面形状に形成されている。
（非球面データ）
〔第２１面〕
Ｒ      κ       Ｃ４          Ｃ６         Ｃ８         Ｃ１０
18.7998 +1.0227 -6.8989×10-5  1.0060×10-6 -6.1528×10-8  1.1967×10-9
本第３実施例において、第１レンズ群Ｇ１と第２レンズ群Ｇ２との軸上空気間隔ｄ５、第２レンズ群Ｇ２と第３レンズ群Ｇ３との軸上空気間隔ｄ１３、第３レンズ群Ｇ３と第４レンズ群Ｇ４との軸上空気間隔ｄ２０、第４レンズ群Ｇ４と第５レンズ群Ｇ５との軸上空気間隔ｄ２５、第５レンズ群Ｇ５とローパスフィルター等ＦＬとの軸上空気間隔ｄ２７、およびバックフォーカスＢｆは、ズーミングに際して変化する。以下に、広角端状態、中間焦点距離１状態、中間焦点距離２状態、望遠端状態の各焦点距離における可変間隔データを示す。
（可変間隔データ）
広角端状態  中間焦点距離１状態  中間焦点距離２状態  望遠端状態
f   5.8200         16.2716             30.0001        44.2323
d5   1.6000         13.1964             18.5357        19.5242
d13  21.4272          9.8320              5.8827         2.8026
d20   9.5165          4.1914              3.8756         3.6555
d25   2.6562         10.3094             14.5025        21.4177
d27   2.8001          2.8001              2.8001         2.8001
Bf   1.3001          1.3002              1.3003         1.3005
以下に、本第３実施例における各条件式対応値を示す。
（条件式対応値）
βａｗ  ＝-24.34281
βａｔ  ＝  2.25499
ｆｗ    ＝  5.81995
ｆｔ    ＝ 44.23234
ｆ３    ＝ 22.19417
ｆ３ａ  ＝ 33.51941
ｆ５    ＝ 99.99999
（１）｜１／βａｗ｜  ＝0.04108
（２）（βａｔ）2 ＝5.08498
（３）ｆｗ／ｆ３ａ    ＝0.17363
（４）ｆ５／ｆｔ      ＝2.26079
（５）ｆ３ａ／ｆ３    ＝1.51028
【手続補正１１】
【補正対象書類名】明細書
【補正対象項目名】００７７
【補正方法】変更
【補正の内容】
【００７７】
【表４】
（全体諸元）
広角端状態  中間焦点距離１状態  中間焦点距離２状態  望遠端状態
f =  5.82    〜     16.00       〜     30.00       〜    44.23
F.NO =  2.49    〜      2.99       〜      3.17       〜     3.77
２ω = 64.68    〜     25.03       〜     13.45       〜     9.10
（レンズデータ）
面番号 曲率半径 面間隔  屈折率  アッベ数
1    35.6044   1.30  1.846660  23.78
2    23.0000   5.30  1.713000  53.85
3   100.9202   0.10
4    23.4629   3.65  1.497820  82.52
5    59.8785   (d5)
* 6    88.5329   0.13  1.553890  38.09
7    39.6571   1.10  1.834810  42.72
8     7.5344   3.45
9   -15.0929   2.25  1.717000  47.93
10     9.9592   2.80  1.846660  23.78
11   -28.7399   0.95
12    -8.4622   1.20  1.713000  53.85
13   -17.6123   (d13)
14     0.0000   0.50                  （開口絞りＳ）
15    15.0669   0.90  1.806100  40.94
16     9.1457   3.20  1.497820  82.52
17   -49.8115   0.55
18    18.7910   2.00  1.487490  70.24
19   -43.4181   0.90  1.563840  60.69
20    50.0000   (d20)
*21    19.7825   2.50  1.589130  61.24
22   -49.1300   1.70
23    86.3436   1.20  1.834000  37.17
24     9.7000   3.30  1.487490  70.24
25   -31.5477   (d25)
26    22.7664   1.60  1.487490  70.24
27   100.0000   (d27)
28     0.0000   2.70  1.516800  64.20
29     0.0000   1.00
30     0.0000   0.80  1.544370  70.51
31     0.0000   (Bf)
本第４実施例において、第６面および第２１面の各レンズ面は非球面形状に形成されている。
（非球面データ）
〔第６面〕
Ｒ      κ      Ｃ４          Ｃ６          Ｃ８         Ｃ１０
88.5329 +11.000  1.4314×10-4 -2.1112×10-7-1.6666×10-8 2.8708×10-10
〔第２１面〕
Ｒ      κ      Ｃ４          Ｃ６          Ｃ８         Ｃ１０
19.7825 +2.2791 -7.6070×10-5-2.6563×10-7 2.2570×10-8 -3.3764×10-10
本第４実施例において、第１レンズ群Ｇ１と第２レンズ群Ｇ２との軸上空気間隔ｄ５、第２レンズ群Ｇ２と第３レンズ群Ｇ３との軸上空気間隔ｄ１３、第３レンズ群Ｇ３と第４レンズ群Ｇ４との軸上空気間隔ｄ２０、第４レンズ群Ｇ４と第５レンズ群Ｇ５との軸上空気間隔ｄ２５、第５レンズ群Ｇ５とローパスフィルター等ＦＬとの軸上空気間隔ｄ２７、およびバックフォーカスＢｆは、ズーミングに際して変化する。以下に、広角端状態、中間焦点距離１状態、中間焦点距離２状態、望遠端状態の各焦点距離における可変間隔データを示す。
（可変間隔データ）
広角端状態  中間焦点距離１状態  中間焦点距離２状態  望遠端状態
f   5.8200         16.0001            30.0004          44.2326
d5   1.6000         11.1393            17.4393          18.0958
d13  20.5326          9.0517             5.9063           2.5118
d20   6.5000          2.2817             2.0773           1.7158
d25   4.0651         12.5666            15.0321          22.5666
d27   2.7701          2.7701             2.7701           2.7701
Bf   1.3300          1.3300             1.3298           1.3296
以下に、本第４実施例における各条件式対応値を示す。
（条件式対応値）
βａｗ  ＝-17.54465
βａｔ  ＝  2.49249
ｆｗ    ＝  5.82002
ｆｔ    ＝ 44.23262
ｆ３    ＝ 23.23575
ｆ３ａ  ＝ 33.35755
ｆ５    ＝ 60.05977
（１）｜１／βａｗ｜  ＝0.05700
（２）（βａｔ）2     ＝6.21251
（３）ｆｗ／ｆ３ａ    ＝0.17447
（４）ｆ５／ｆｔ      ＝1.35782
（５）ｆ３ａ／ｆ３    ＝1.43561
【手続補正１２】
【補正対象書類名】明細書
【補正対象項目名】００７８
【補正方法】変更
【補正の内容】
【００７８】
図１５〜図１７は、ｄ線（λ＝５８７．６ｎｍ）に対する第４実施例の諸収差図である。すなわち、図１５（ａ）は広角端状態（ｆ＝５．８２ｍｍ）における無限遠合焦状態での諸収差図であり、図１５（ｂ）は中間焦点距離１状態（ｆ＝１６．００ｍｍ）における無限遠合焦状態での諸収差であり、図１６（ａ）は中間焦点距離２状態（ｆ＝３０．００ｍｍ）における無限遠合焦状態での諸収差であり、図１６（ｂ）は望遠端状態（ｆ＝４４．２３ｍｍ）における無限遠合焦状態での諸収差図であり、図１７（ａ）は広角端状態（ｆ＝５．８２ｍｍ）におけるレンズシフト時の横収差図であり、図１７（ｂ）は中間焦点距離１状態（ｆ＝１６．００ｍｍ）におけるレンズシフト時の横収差図であり、図１７（ｃ）は中間焦点距離２状態（ｆ＝３０．００ｍｍ）におけるレンズシフト時の横収差図であり、図１７（ｄ）は望遠端状態（ｆ＝４４．２３ｍｍ）におけるレンズシフト時の横収差図である。
【手続補正１３】
【補正対象書類名】図面
【補正対象項目名】図１４
【補正方法】変更
【補正の内容】
【図１４】
2004252196.tif 000001